(57)【特許請求の範囲】
【請求項１】
容器の口筒部に装着されるキャップ本体と、蓋体とからなる抜栓式キャップにおいて、
キャップ本体は、容器口部に装着される装着部と、容器内の内容液を注出する注出部とを具え、
装着部は、注出部を連設する上壁部を具え、
注出部は、上壁部内縁に連設する注出筒と、注出筒の内周に連設される隔壁とを具え、
注出筒の下端部に、内周面の下端より外側へ水平方向に延びる下面と、下面の外縁から垂下して延びる拡径内周面とを具えた拡径段部が形成され、
隔壁には、注出筒の拡径段部の下面の内方端で連設する破断可能な薄肉の弱化部により注出口を開口する除去部が設けられ、除去部の上面の所定の位置には、開口時に除去部を引上げるプルリングが連設されていることを特徴とする抜栓式キャップ。
【請求項２】
蓋体は、頂壁と、外周壁と、キャップ本体の注出筒の内周と係合する密封筒とを具え、
密封筒の下端のヒンジ側には、ヒンジ側の周方向中央に向かって筒高さが漸次高くなる形状の液案内片が設けられ、
液案内片は、閉蓋時に、下端がキャップ本体の隔壁上面に近接する高さであるとともに、内方面が隔壁の除去部を抜栓した後の注出口の内方に位置するように形成されていることを特徴とする請求項１記載の抜栓式キャップ。
【発明の詳細な説明】
【技術分野】
【０００１】
本発明は、抜栓式キャップ、特に内容液が高粘度である容器の抜栓式キャップに関するものである。
【背景技術】
【０００２】
キャップの注出筒内方に設けた隔壁に、破断可能な弱化部を介して、指を掛けるプルリングを立設した除去部を形成し、キャップを、容器口部に装着して容器内を密封するとともに、隔壁の除去部を抜栓して注出口を形成し、内容液を注出するようにした抜栓式キャップは、従来より周知である（例えば、特許文献１参照）。
【先行技術文献】
【特許文献】
【０００３】
【特許文献１】特開２００３−３１２７０４号公報
【発明の概要】
【発明が解決しようとする課題】
【０００４】
しかしながら、従来周知の抜栓式キャップでは、プルリングで除去部を引き上げ、弱化部を破断した際に、隔壁に切れ残った弱化部により、注出口が狭くなることがあり、内容液が、例えば、味噌、マヨネーズなどの高粘度の場合、スムーズに注出しにくいという問題があった。
【０００５】
また、内容液を注出後、注出筒の内周に付着した内容液を下方に移動させて注出口より容器本体内方に回収する際に、隔壁に切れ残った弱化部がまくれてしまって壁となり、内容液の移動の邪魔をして隔壁上面で固まってしまうという問題があった。
【０００６】
本発明は、上記問題を解決することを課題とし、プルリングで除去部を引き上げ、弱化部を破断しても、高粘度の内容液がスムーズに注出できなくなるほどに注出口が狭くなることがなく、また、内容液の注出後、注出筒に付着した内容液を速やかに容器本体内方に回収することのできる抜栓式キャップを提供することを目的とする。
【課題を解決するための手段】
【０００７】
本発明は、上記の課題を解決するため、抜栓式キャップとして、容器の口筒部に装着されるキャップ本体と、蓋体とからなる抜栓式キャップにおいて、キャップ本体は、容器口部に装着される装着部と、容器内の内容液を注出する注出部とを具え、装着部は、注出部を連設する上壁部を具え、注出部は、上壁部内縁に連設する注出筒と、注出筒の内周に連設される隔壁とを具え、注出筒の下端部に、内周面の下端より外側へ水平方向に延びる下面と、下面の外縁から垂下して延びる拡径内周面とを具えた拡径段部が形成され、隔壁には、注出筒の拡径段部の下面の内方端で連設する破断可能な薄肉の弱化部により注出口を開口する除去部が設けられ、除去部の上面の所定の位置には、開口時に除去部を引上げるプルリングが連設されていることを特徴とする構成を採用する。
【０００８】
抜栓式キャップの実施例として、蓋体は、頂壁と、外周壁と、キャップ本体の注出筒の内周と係合する密封筒とを具え、密封筒の下端のヒンジ側には、ヒンジ側の周方向中央に向かって筒高さが漸次高くなる形状の液案内片が設けられ、液案内片は、閉蓋時に、下端がキャップ本体の隔壁上面に近接する高さであるとともに、内方面が隔壁の除去部を抜栓した後の注出口の内方に位置するように形成されていることを特徴とする構成を採用する。
【発明の効果】
【００１０】
容器の口筒部に装着されるキャップ本体の注出筒の内周に連設される隔壁に、注出口を開口する除去部を形成する破断可能な薄肉の弱化部を、注出筒の内周近傍に形成しているので、除去部を抜栓した際に、注出口が大きく形成され、高粘度の内容液を安定して注出することができる。
【００１１】
また、除去部を抜栓した後、隔壁に切れ残った弱化部がまくれても、内容液の注出後に注出筒に付着した内容液を速やかに容器本体内方に回収することができる。
【図面の簡単な説明】
【００１２】
【図１】本発明の第１実施例の抜栓式キャップの説明図で、（ａ）は断面立面図、（ｂ）は下面図である。
【図２】隔壁の除去部抜栓後の断面立面図である。
【図３】本発明の第２実施例の抜栓式キャップの説明図で、（ａ）は断面立面図、（ｂ）は下面図である。
【図４】隔壁の除去部抜栓後の説明図で、（ａ）は断面立面図、（ｂ）は要部拡大図である。
【発明を実施するための形態】
【００１３】
次に、本発明の抜栓式キャップについて、実施例をあげ、図面を参照して説明する。
【実施例１】
【００１４】
図１において、Ａは容器本体の口筒部に装着されるキャップ本体、Ｂはキャップ本体ＡにヒンジＣを介して一体成形された蓋体である。
【００１５】
キャップ本体Ａは、容器本体の口筒部に装着する装着部１と、該装着部１に連設され、容器内の内容液を注出する注出部２とからなっている。
【００１６】
装着部１は、内周が容器口部外周と嵌合する外筒３と、外筒３の下端に切断可能な連結片を介して連設され、外周上部の所定の位置にヒンジＣが連設される外周壁３ａと、外筒３の上端内周に連設されるリング状の上壁部４と、上壁部４の上面に立設された蓋係合部５とを具えている。
なお、装着部１は、外筒３と外周壁３ａに連結片を介して形成したものでなくてもよく、外筒と外周壁との間に隙間（スリット）がないものでもよい。
【００１７】
注出部２は、上壁部４の内縁に連設される注出筒６と、注出筒６の内周下部に連設される隔壁７とを具えている。
【００１８】
注出筒６の外周には、連設された上壁部４の下面から下方に延び、外側が容器口部内周に嵌合するシール部８が設けられている。
キャップ本体Ａは、シール部８外側と装着部１の外筒３の内側により、容器本体の口筒部を挟持するようにして、容器本体に装着させる。
【００１９】
隔壁７には、注出筒６の内周近傍に形成された破断可能な薄肉の弱化部９により注出口を開口する除去部１０が設けられており、除去部１０の上面には、開口時に除去部１０を引上げるプルリング１１が形成されている。
【００２０】
蓋体Ｂは、頂壁１５と、外周壁１６と、閉蓋時にキャップ本体Ａの注出筒６の内周と外周が係合する密封筒１７とからなっている。
【００２１】
外周壁１６には、内周端部に、キャップ本体Ａの蓋係合部５外周と係合する係合部１８が設けられており、外周端の所定の位置に、ヒンジＣが連設されている。
【００２２】
密封筒１７の下端には、ヒンジＣ側の周方向中央に向かって筒高さが漸次高くなる形状に液案内片１９が設けられている。
液案内片１９は、図１、２に示すように、閉蓋時に、下端がキャップ本体Ａの隔壁７上面に近接する高さであるとともに、内方面が隔壁７の除去部１０を抜栓した後の注出口の内方に位置するように形成されている。
【００２３】
次に、本実施例の抜栓式キャップの作用効果について説明する。
蓋体Ｂを閉蓋する際には、蓋体ＢをヒンジＣを介して廻動させ、キャップ本体Ａの装着部１の蓋係合部５の外周と、蓋体Ｂの外周壁１６の係合部１８とを係合させることによって、図１に示すように、閉蓋状態とし、かつ、閉蓋状態を維持させる。
【００２４】
キャップ本体Ａの隔壁７の注出口を開口する際には、蓋体Ｂを開蓋し、キャップ本体Ａの注出部２の隔壁７のプルリング１１に指などを掛け、引っ張り上げ、弱化部９をヒンジＣ側から破断させていく。
【００２５】
その際、プルリング１１を引っ張ると、隔壁７を介して注出筒６の下部が、僅かに引っ張られるが、容器本体の口筒部内周に嵌合しているのが注出筒６の外周に設けたシール部８であり、キャップ本体Ａと口筒部との嵌合が維持することができるので、注出筒６の下部が引っ張られるとともに変形しても、キャップ本体Ａが容器口部から浮き上がったり、装着が外れたりすることを防止することができる。
【００２６】
最後は、隔壁７の除去部１０を抜栓し、図２に示すように、隔壁７に注出口ａを開口する。
隔壁７に注出口ａが開口された後、容器をヒンジＣの反対側に傾けること、または、容器本体の胴部が押圧変形可能なものであれば、容器本体を押圧することによって、容器内の高粘度の内容液を注出筒６を介して注出することができる。
【００２７】
本実施例のキャップ本体Ａの注出部２の隔壁７の注出口ａは、弱化部９を注出筒６の内周近傍に設けることによって、開口を、従来のものに比べ、より大きくすることができ、抜栓時の弱化部のまくれなどで、開口を塞いだり、また、開口が小さくなり、スムーズに注出できなくなることを防止することができ、キャップから高粘度の内容液を安定して注出することができる。
【００２８】
また、注出口ａの外縁が注出筒６の内周に接近していることによって、内容液の注出後、注出筒６内周に付着した内容液を、より速やかに、注出口ａの外縁から内方に回収することができる。
【００２９】
隔壁７に注出口ａが開口された後は、蓋体Ｂを閉蓋して容器内を密封することができる。
その際、キャップ本体Ａの注出筒６の内方に、蓋体Ｂの密封筒１７の外面が密接し、注出筒６より内方を密封する。
【００３０】
また、密封筒１７のヒンジＣ側に、下端がキャップ本体Ａの隔壁７上面に近接する高さであるとともに、内面が隔壁７の注出口ａの外縁より内方に位置する液案内片１９を設けたことによって、容器を倒して、容器内の内容液が蓋体Ｂの密封筒１７の内方に付着しても、正立状態に戻した際に、付着した液が密封筒１７内面および液案内片１９の内面を伝って、注出口ａの内方に案内されるので、より速やかに、注出口ａの内方に回収することができる。
【００３１】
上記実施例の実施形態では、キャップ本体Ａの隔壁７の弱化部９を注出筒６の近傍に周設したので、除去部１０または注出口ａの形状が、図１、２に示すように、ほぼ円形となるが、注出筒６の内方および蓋体Ｂの密封筒１７の内方に付着した内容液を速やかに注出口内に回収できればよいので、隔壁７の弱化部９と除去部１０、および注出口の形状を、少なくともヒンジＣ側とヒンジＣの反対側だけが注出筒６の内周近傍に来るように形成するようにしてもよい。
【実施例２】
【００３２】
次に、第１実施例の抜栓式キャップのキャップ本体の注出部の構成を変えた第２実施例について、説明する。
本実施例の第１実施例と同一の構成部分には、同一の符号を付して図示して、詳しい説明を省略し、相違点を中心に説明する。
【００３３】
図３において、Ｄはキャップ本体、Ｂはキャップ本体ＤにヒンジＣを介して一体成形された蓋体である。
【００３４】
キャップ本体Ｄは、容器口部に装着される装着部１と、容器内の内容液を注出する注出部２０とからなっている。
【００３５】
注出部２０は、上壁部４の内縁に連設される注出筒２１と、注出筒２１の内周下部に連設される隔壁２２とを具えている。
注出筒２１の外周には、連設された上壁部４の下面から下方に延び、外側が容器口部内周に嵌挿されるシール部８が設けられている。
【００３６】
注出筒２１の内周の下端部には、他の内周面２１ａより拡径される拡径段部２３が形成されている。
拡径段部２３は、内周面２１ａの下端より外側に延びる下面２３ａと、下面２３ａの外縁から下端まで延びる拡径内周面２３ｂとから形成されている。
【００３７】
隔壁２２は、注出筒２１の拡径段部２３の下面２３ａの内方端に連設する破断可能な薄肉の弱化部２４と、弱化部２４により注出口を開口する除去部２５とからなり、除去部２５の上面のヒンジＣ側に、開口時に除去部２５を引上げるプルリング１１が形成されている。
【００３８】
次に、本実施例の抜栓式キャップの作用効果について説明する。
キャップ本体Ｄの注出部２０を開口する際には、蓋体Ｂを開蓋し、キャップ本体Ｄの隔壁２２のプルリング１１に指などを掛け、引っ張り上げ、弱化部２４をヒンジＣ側から破断させていく。
【００３９】
隔壁２２の除去部２５を抜栓し、図４に示すように、注出筒２１の内周面２１ａ下端に注出口ａを開口する。
注出口ａが開口された後、容器をヒンジＣの反対側に傾けること、または、容器本体を押圧することによって、容器内の高粘度の内容液を注出筒２１を介して注出することができる。
【００４０】
本実施例のキャップ本体Ｄの注出部２０は、弱化部２４を破断させることによって、隔壁２２全体が除去部２５として除去され、注出筒２１の内周面２１ａの下端が注出口ａとして開口されるので、開口が小さくなることがなく、キャップから高粘度の内容液を安定して注出することができる。
【００４１】
内容液の注出後、注出筒２１の内周面２１ａに付着した内容液が、内周面２１ａ下端からそのまま内方に回収されるので、より速やかに、付着した内容液を容器本体内に回収することができる。
【００４２】
本実施例の注出部２０は、隔壁２２の弱化部２４が、注出筒２１の内周下端に設けた拡径段部２３の下面２３ａの内方端に連設されているので、弱化部２４を破断した残りが、図４（ｂ）に示すように、注出筒２１の内周面２１ａより外側に残るため、付着した内容液を回収する際に、弱化部２４の破断した残りに邪魔されることがない。
その他の作用効果は、実施例１と同じである。
【００４３】
上記各実施例では、キャップ本体と、蓋体とをヒンジを介して連設したヒンジキャップとしたが、別に、ヒンジを介して連設したものではなく、注出筒の内周に隔壁を具えるキャップ本体と、それに、嵌着や螺着などで装着または被嵌する蓋体などのようにそれぞれが独立したものでもよい。
したがって、隔壁を具えるキャップと、それに装着または被嵌する蓋体の構成は、上記各実施例の形態に限定されない。
【００４４】
また、各実施例では、キャップ本体の装着部を二重筒としているが、その形状は、実施例に限定されない。  
【産業上の利用可能性】
【００４５】
本発明は、隔壁を具えるキャップ本体において、隔壁から除去部を抜栓するための破断可能な弱化部を注出筒の内周近傍に設けられることによって、注出口を、より大きくすることができるとともに、内容液の注出後、付着した内容液を、速やかに回収することができるので、高粘度の内容液用の各種の抜栓式キャップとして広く利用することができる。
【符号の説明】
【００４６】
Ａ、Ｄ      キャップ本体
Ｂ          蓋体
Ｃ          ヒンジ
ａ          注出口
１          装着部
２、２０    注出部
３          外筒
３ａ        外周壁
４          上壁部
５          蓋係合部
６、２１    注出筒
７、２２    隔壁
８          シール部
９、２４    弱化部
１０、２５  除去部
１１        プルリング
１５        頂壁
１６        外周壁
１７        密封筒
１８        係合部
１９        液案内片
２１ａ      内周面
２３        拡径段部
２３ａ      下面
２３ｂ      拡径内周面
【図１】
0005709515.tif 000002
【図２】
0005709515.tif 000003
【図３】
0005709515.tif 000004
【図４】
0005709515.tif 000005